(57)【特許請求の範囲】
【請求項１】
遊技球が流下する遊技領域を前面に有する遊技盤と、この遊技盤の前面下部に配設された発光演出装置とを備え、
前記発光演出装置が、出力軸を鉛直方向に向けて設置されたモータと、上端に反射部を有して前記モータにより回転駆動される回転体と、この回転体の上方に配置されて前記反射部に向けて光を放射する光源と、少なくとも前記回転体の前方を覆う光透過性のカバーとを備えており、前記回転体が前記反射部の中心を通る鉛直線を回転軸として回転可能であると共に、前記反射部が楕円形状の平坦な傾斜面となっていることを特徴とするパチンコ機。
【請求項２】
請求項１の記載において、前記傾斜面の外周縁の上側半周部分に遮光壁が立設されていることを特徴とするパチンコ機。
【発明の詳細な説明】
【技術分野】
【０００１】
本発明は、パトランプと称される発光演出装置を備えたパチンコ機に関するものである。
【背景技術】
【０００２】
パチンコ機の中には、遊技盤の遊技領域内に可変表示装置や始動入賞口やアタッカー装置等を配設し、遊技領域に向けて発射された遊技球が始動入賞口に入賞したことを契機に電子抽選を行い、その抽選結果に基づいて可変表示装置が図柄の変動表示と停止表示を行うようにした機種が存在する。電子抽選の抽選結果には当たり（当選）とハズレ（非当選）があり、抽選結果が当たりの場合には、可変表示装置の表示画面に所定の特別図柄の組合せが表示され、通常モードから特別遊技モードへと移行する。この特別遊技モードでは、アタッカー装置の開閉扉が開放動作して大入賞口を露呈させるので、露呈した大入賞口に遊技球が入りやすくなって遊技者は多くの賞球を獲得できるようになる。
【０００３】
このようなパチンコ機において、遊技盤の盤面上部に「パトランプ」と称される発光演出装置を配設し、この発光演出装置を作動させて断続的な光を遊技者に向けて照射することにより、電子抽選で当選していることを遊技者に示唆するようにしたものが従来より知られている（例えば、特許文献１参照）。
【０００４】
特許文献１に開示されているように、従来の一般的な発光演出装置は、ランプやＬＥＤ等からなる光源と、この光源の周囲に配置された反射鏡と、この反射鏡を回転駆動するモータ等を備えており、反射鏡は上側を頂部とする放物面を縦方向に２分した半割りドーム形状に形成されている。このような発光演出装置では、光源を点灯させた状態で反射鏡が光源の周囲を旋回する途中、反射鏡が光源の前側に位置している場合は、光源が反射鏡で隠されて遊技者から見えなくなるが、反射鏡が光源の後側に位置している場合は、光源の光が遊技者側へ直接照射されると共に、反射鏡の内周面で反射した光も遊技者側へ照射される。その場合、反射鏡からの反射光の多くは前方へ照射されるが、反射鏡の頂部の湾曲形状によって斜め下方へも照射されるため、遊技者は作動中の発光演出装置から強い光を断続的に受けることとなり、かかる光の変化によって大当たり予告等を発光演出することができる。
【先行技術文献】
【特許文献】
【０００５】
【特許文献１】特開２００７−１８５３０２号公報
【発明の概要】
【発明が解決しようとする課題】
【０００６】
ところで、発光演出装置の配置場所は常に遊技盤の盤面上部であるとは限らず、例えば、役物演出装置や意匠構造物等の存在によって遊技盤の盤面上部に余剰スペースがない場合は、発光演出装置を遊技盤の盤面下部に配置する必要がある。この場合、前述した従来既知の発光演出装置では、反射鏡からの反射光のほとんどが前方と斜め下方に照射されるため、かかる発光演出装置を遊技盤の盤面下部に配置しても遊技者に強い光を照射することができなくなる。なお、従来既知の発光演出装置を上下逆にして遊技盤の盤面下部に配置すれば、反射鏡からの反射光の一部を斜め上方に照射できるが、大部分の反射光は遊技者の目線よりも下方位置で前方へ照射されることになるため、この場合も遊技者に強い光を照射することはできない。
【０００７】
本発明は、このような従来技術の実情に鑑みてなされたもので、その目的は、遊技盤の前面下部に配設した発光演出装置から遊技者に対して強い光を断続的に照射できるパチンコ機を提供することにある。
【課題を解決するための手段】
【０００８】
上記の目的を達成するために、本発明のパチンコ機は、遊技球が流下する遊技領域を前面に有する遊技盤と、この遊技盤の前面下部に配設された発光演出装置とを備え、前記発光演出装置が、出力軸を鉛直方向に向けて設置されたモータと、上端に反射部を有して前記モータにより回転駆動される回転体と、この回転体の上方に配置されて前記反射部に向けて光を放射する光源と、少なくとも前記回転体の前方を覆う光透過性のカバーとを備えており、前記回転体が前記反射部の中心を通る鉛直線を回転軸として回転可能であると共に、前記反射部が楕円形状の平坦な傾斜面となっている構成にした。
【０００９】
このように構成されたパチンコ機では、遊技盤の前面下部に配設した発光演出装置が作動状態になると、回転体の上端に形成した反射部に対して光源の光が真上から放射されるが、この反射部が楕円形状の平坦な傾斜面となっているため、回転体の１回転中に変化する傾斜面の向きに応じて反射部で反射する光の照射方向が前後左右の全周範囲に亘って変化し、例えば回転体の回転途中で傾斜面が前方を向いている場合は、反射部からの反射光はすべて前方斜め上方へ照射されることとなり、遊技者に対して強い光を断続的に照射することができる。
【００１０】
上記の構成において、傾斜面の外周縁の上側半周部分に遮光壁が立設されていると、回転体の回転中に傾斜面が後方を向いている時に、遮光壁が傾斜面の上側半周部を覆うように前方を向くため、不所望方向への漏れ光を遮光壁によって遮断することができる。したがって、回転体の１回転中に遊技者に向かって反射光を照射する時と遮断する時とがはっきり区別され、明暗に減り張りのある発光演出を実現することができる。
【発明の効果】
【００１１】
本発明のパチンコ機は、遊技盤の前面下部に配設した発光演出装置が作動状態になると、回転体の上端に形成した反射部に対して光源の光が真上から放射されるが、この反射部が楕円形状の平坦な傾斜面となっているため、回転体の回転中に傾斜面が前方を向いている場合は、反射部からの反射光はすべて前方斜め上方へ照射されることとなり、遊技者に対して強い光を断続的に照射することができる。
【図面の簡単な説明】
【００１２】
【図１】本発明の実施形態例に係るパチンコ機の外観斜視図である。
【図２】図１のパチンコ機に備えられる遊技盤の正面図である。
【図３】図２の遊技盤に配設された発光演出装置の外観斜視図である。
【図４】図３に示す発光演出装置の正面図である。
【図５】図３の発光演出装置のカバーを破断して示す斜視図である。
【図６】図４の発光演出装置のカバーを取り除いて示す正面図である。
【図７】図４のＡ−Ａ線に沿う断面図である。
【図８】図３の発光演出装置に備えられる回転体の外観斜視図である。
【図９】図８に示す回転体の説明図である。
【発明を実施するための形態】
【００１３】
発明の実施の形態について図面を参照して説明すると、図１に示すように、本発明の実施形態例に係るパチンコ機Ｐは、遊技場の島設備に設置される縦長方形状の機枠１と、機枠１に扉状に開閉自在に取り付けられた本体枠２と、本体枠２の前面に扉状に開閉自在に取り付けられたガラス扉３等を備えており、ガラス扉３にはガラスやプラスチック等からなる透明板４が取り付けられている。機枠１の左側枠部には上側軸受け体５と下側軸受け体（図示せず）が固着されており、この下側軸受け体よりも下方の左下隅部には大型のスピーカ６が配設されている。一方、本体枠２の左側枠部の上下両端には第１ピン（図示せず）が設けられており、これら両第１ピンが対応する上下の軸受け体に軸支されることにより、本体枠２は機枠１に対して開閉自在となっている。
【００１４】
本体枠２の上部内側には後述する遊技盤７が収納されており、本体枠２の右側枠部にはシリンダ錠８ａを有する施錠装置８が設置されている。図示省略されているが、この施錠装置８は本体枠２の裏面に配置された後部施錠杆と本体枠２の前面に配置された前部施錠杆とを備えており、常態では、施錠装置８の後部施錠杆により機枠１に対して本体枠２が施錠されると共に、施錠装置８の前部施錠杆により本体枠２に対してガラス扉３が施錠されている。そして、シリンダ錠８ａの鍵穴に図示せぬ鍵を差し込み、この鍵を一方向（例えば時計回り）へ回動すると、後部施錠杆が上動して本体枠２が開錠されるようになっている。また、シリンダ錠８ａの鍵穴に差し込んだ鍵を他方向（反時計回り）へ回動すると、前部施錠杆が上動してガラス扉３が開錠されるようになっている。
【００１５】
ガラス扉３の左側枠部の上下両端には第２ピン（図示せず）が設けられており、これら両第２ピンを本体枠２の上下の軸孔（図示せず）に挿入することにより、ガラス扉３は本体枠２に対して開閉自在となっている。ガラス扉３には遊技盤７の盤面に対向する大きな開口３ａが開設されており、この開口３ａは透明板４によって塞がれている。ガラス扉３の前面上部には比較的小型のスピーカ９が左右に１個ずつ配設されており、これらスピーカ９と前述した大型のスピーカ６とによって遊技に関する様々な効果音を発するようになっている。また、ガラス扉３の前面下部には、遊技盤７の裏面に配設された球払出装置（図示せず）から払い出された遊技球を収容する上段受皿１０と、上段受皿１０から排出された遊技球を収容する下段受皿１１と、遊技者による押下操作が可能なプッシュ釦１２とが設けられており、上段受皿１０の右側方には本体枠２の下部に配設された発射装置（図示せず）の発射強度を調整するための操作ハンドル１３が配設されている。
【００１６】
図２に示すように、前記遊技盤７はガイドレール１４等によって区画形成された遊技領域１５を有しており、遊技者によって操作ハンドル１３が任意角度に回動操作されると、前記発射装置が上段受皿１０に保留された遊技球を遊技領域１５に向けて連続的に打ち出すようになっている。遊技領域１５の上部中央付近には中央役物ユニット１６が配設されており、この中央役物ユニット１６の裏面側には液晶パネルからなる可変表示装置１７が配設されている。中央役物ユニット１６は装飾枠体１８を備えており、装飾枠体１８の開口部１８ａから可変表示装置１７の表示画面が露出している。装飾枠体１８の上壁部にはロゴマーク等が施された意匠構造物１９が配設されており、装飾枠体１８の下壁部にはステージ１８ｂが設けられている。また、装飾枠体１８の左側壁内部にはワープ通路１８ｃが設けられており、中央役物ユニット１６の左側の遊技領域１５を流下する遊技球がワープ通路１８ｃの入口に入球すると、この遊技球はワープ通路１８ｃ内を通ってステージ１８ｂ上に排出された後、ステージ１８ｂ上を転動して遊技領域１５に落下するようになっている。
【００１７】
中央役物ユニット１６の真下の遊技領域１５には第１の始動入賞口２０が配設されており、ステージ１８ｂ上を転動する遊技球は高い確率で第１の始動入賞口２０に入賞するようになっている。また、中央役物ユニット１６の右側に延在する遊技領域１５の下部位置に第２の始動入賞口２１が配設され、この第２の始動入賞口２１の上方に通過チャッカー２２が配設されている。ここで、第１の始動入賞口２０は上面に入賞口を開口する単純構造の始動入賞口であるが、第２の始動入賞口２１は開閉可能な可動片を有する電動チューリップ構造の始動入賞口となっている。そして、遊技領域１５を流下する遊技球が第１および第２の始動入賞口２０，２１のいずれか一方に入賞すると、それを契機として特別図柄表示の電子抽選が行われ、可変表示装置１７の表示画面で図柄の変動表示と停止表示が行われる。また、右側の遊技領域１５を流下する遊技球が通過チャッカー２２を通過すると、それを契機として普通図柄表示の電子抽選が行われ、その抽選結果が当たりの場合に第２の始動入賞口２１の可動片を一時的に開放して遊技球の入球を許可するようになっている。
【００１８】
さらに、第１の始動入賞口２０の真下の遊技領域１５にはアタッカー装置２３が配設されており、このアタッカー装置２３によって図示せぬ大入賞口が覆われている。アタッカー装置２３は、第１および第２の始動入賞口２０，２１のいずれか一方に遊技球が入賞することを契機行われる特別図柄表示の電子抽選の結果、当たりとなって大当たり遊技状態（特別遊技モード）に移行した場合に作動される装置である。具体的には、特別図柄表示の抽選結果が当たりの場合、可変表示装置１７の表示画面で図柄の変動表示を例えば「７７７」のように特定図柄で停止させると共に、アタッカー装置２３が複数回繰り返し開放動作して大入賞口を露呈させる。アタッカー装置２３は１回の開放動作について例えば３０秒通過するまで、あるいは遊技球が大入賞口に例えば１０個入球するまで開放状態を維持し、かかる開放動作を例えば１５回（ラウンド）繰り返した後に大当たりが終了する。その他、遊技領域１５には遊技球の払い出しのみを行う複数の一般入賞口２４や、遊技球の流下経路を担う遊技釘（図示せず）と風車２５等が配設されており、いずれの入賞口２０，２１，２４にも入賞しなかった遊技球は、遊技領域１５の最下端部に設けられたアウト口２６から遊技盤７の裏面側に排出されるようになっている。
【００１９】
そして、本実施形態例に係るパチンコ機Ｐでは、遊技領域１５から区画された遊技盤７の右下隅部に装飾板２７が取り付けられており、この装飾板２７に発光演出装置２８が配設されている。以下、図３〜図９を参照して発光演出装置２８の詳細について説明する。
【００２０】
図３〜図７に示すように、この発光演出装置２８は、前面を開放した中空構造のケーシング２９と、ケーシング２９の下面にブラケット３０を介して取り付けられたモータ３１と、モータ３１を駆動源としてケーシング２９の内部で回転する回転体３２と、ケーシング２９の上端に取り付けられた回路基板３３と、回路基板３３の下面に実装されたＬＥＤ３４と、ケーシング２９の前面開放端に取り付けられたカバー３５等によって主に構成されている。
【００２１】
ケーシング２９は発光演出装置２８の外殻を形成するものであり、その上端に貫通孔２９ａが穿設されている。ブラケット３０はケーシング２９の下面に固着されており、これらケーシング２９とブラケット３０を装飾板２７の内部にネジ止めすることにより、装飾板２７の開口部２７ａからカバー３５が露呈するようになっている（図２参照）。
【００２２】
図６に示すように、モータ３１の出力軸はブラケット３０の上方へ突出しており、この出力軸には第１歯車３６が固着されている。ブラケット３０にはモータ３１の出力軸と平行に延びる支軸３７が立設されており、この支軸３７に円盤状の回転板３８が回転可能に支持されている。回転体３２は回転板３８の上面にネジ止めにより一体化されており、回転板３８の下面中央部には第２歯車３９が一体形成されている。この第２歯車３９は第１歯車３６に噛合しており、モータ３１の回転が両歯車３６，３９を介して回転板３８と回転体３２に伝達されるようになっている。
【００２３】
図８に示すように、回転体３２は円柱を斜めに切断した全体形状を呈しており、その上端は楕円形状の傾斜面３２ａとなっている。傾斜面３２ａの外周縁の上側半周部分には遮光壁３２ｂが立設されており、この遮光壁３２ｂは上端が同一面となるように側面視三角形状に形成されている。すなわち、遮光壁３２ｂの高さ寸法は傾斜面３２ａの周縁中央部（短軸方向の両端）が最大で、傾斜面３２ａの頂部（長軸方向の上端）が最小となっている。傾斜面３２ａは平面的に見ると円形であり、その中心を支軸３７の延長線が通るように設定されている。つまり、支軸３７に支持された回転体３２は傾斜面３２ａの中心を通る鉛直線を回転軸として回転可能となっている。回転体３２の外表面は樹脂メッキ等により鏡面処理されており、この鏡面処理によって傾斜面３２ａは反射部となっている。
【００２４】
回路基板３３はケーシング２９の上端部にネジ止めされており、その上面に実装されたコネクタ４０に電力供給用のハーネス（図示せず）が接続されるようになっている。この回路基板３３の下面には光源であるＬＥＤ３４が２個実装されており、これらＬＥＤ３４は傾斜面３２ａの中心を通るほぼ真上位置に配置されている。ＬＥＤ３４はケーシング２９の貫通孔２９ａを通って真下の傾斜面（反射部）３２ａに光を放射するが、図９の矢印で示すように、傾斜面３２ａで反射する光の入射角と反射角は等しいため、ＬＥＤ３４の光は傾斜面３２ａで反射して斜め上方へ照射されることになる。したがって、回転体３２の１回転中に傾斜面３２ａの向きが３６０度変化すると、傾斜面３２ａの向きに応じて反射光の照射方向も前後左右の全周範囲に亘って変化し、例えば、傾斜面３２ａがガラス扉３の透明板４に正対する前方を向いている場合、ＬＥＤ３４の反射光は透明板４の裏面に向かって前方斜め上方へ照射されることとなる。その際、反射光の照射方向と反対側の領域に遮光壁３２ｂが立設されているため、反射光が不所望な方向へ拡散される漏れ光を遮光壁３２ｂによって遮断することができる。
【００２５】
カバー３５は有色透明材料からなるもので、上側を頂部とする放物面を縦方向に２分した半割りドーム形状に形成されている。カバー３５の両側部はケーシング２９の前面開放端にネジ止めされており、回転体３２と回転板３８の前方はカバー３５で覆われている。
【００２６】
このように構成された本実施形態例に係るパチンコ機Ｐにおいて、通常、遊技盤７の右下隅部に配設された発光演出装置２８は非作動状態にあり、この非作動状態ではモータ３１とＬＥＤ３４に通電されていない。一方、大当たり遊技状態になる前の所謂リーチ時にモータ３１とＬＥＤ３４に通電すると、発光演出装置２３が作動状態になってＬＥＤ３４の反射光がカバー３５を通して前方斜め上方へ照射され、その照射光によって電子抽選で当選していることを遊技者に示唆することができる。
【００２７】
具体的には、モータ３１を駆動して回転体３２を回転させた状態で、回転体３２の上方に配置したＬＥＤ３４の光を傾斜面３２ａに向けて放射すると、ＬＥＤ３４の光は支軸３７を中心に回転している傾斜面３２ａで反射して斜め上方へ照射される。この場合、カバー３５を通して発光演出装置２３の前方へ照射される反射光の光量は傾斜面３２ａの向きに応じて変化し、傾斜面３２ａがガラス扉３の透明板４に正対する前方を向いている時、ＬＥＤ３４の反射光は全て透明板４に向かって前方斜め上方へ照射されるため、発光演出装置２３からの照射量は最大となる。そして、回転体３２の回転に伴って傾斜面３２ａが前方を通過すると、傾斜面３２ａが前方から遠ざかるにつれて発光演出装置２３からの照射量は次第に少なくなり、傾斜面３２ａが前方と１８０度反対の後方を向いている時に、発光演出装置２３から前方へ照射される反射光は最小のゼロとなる。また、傾斜面３２ａが後方から遠ざかるにつれて発光演出装置２３からの照射量は次第に多くなり、再び傾斜面３２ａが前方を通過する時に発光演出装置２３からの照射量は最大となり、かかる発光動作をモータ３１とＬＥＤ３４に対する通電を停止するまで継続することにより、遊技者は発光演出装置２３から前方斜め上方に照射される強い光を受けることができる。
【００２８】
また、本実施形態例に係るパチンコ機Ｐでは、傾斜面３２ａの外周縁の上側半周部分に遮光壁３２ｂが立設されており、回転体３２の回転中に傾斜面３２ａが後方を向いている時に、この遮光壁３２ｂが傾斜面３２ａの上側半周部を覆うように前方を向くため、後方斜め上方へ照射される反射光が前方側へ漏れるのを遮光壁３２ｂによって遮断することができる。したがって、発光演出装置２３から前方斜め上方へ明暗の区別がはっきりした光が照射され、減り張りのある煌びやかな発光演出を実現することができる。
【００２９】
なお、上記の実施形態例では、発光演出装置２８を遊技盤７の前面における右下隅部に配設した場合について説明したが、発光演出装置２８は遊技盤７の前面下部に配設されていれば良く、例えば発光演出装置２８を遊技盤７の前面における右下隅部の代わりに左下隅部に配設することも可能である。
【００３０】
また、上記の実施形態例では、傾斜面（反射部）３２ａに向けて光を放射する光源として２個のＬＥＤ３４を用い、これらＬＥＤ３４を回路基板３３の下面に近接配置した場合について説明したが、ＬＥＤに代えてランプを光源として用いることも可能であり、用いられる光源の数も２個に限定されるものではない。
【符号の説明】
【００３１】
３  ガラス扉
４  透明板
７  遊技盤
１５  遊技領域
２７  装飾板
２８  発光演出装置
２９  ケーシング
２９ａ  貫通孔
３１  モータ
３０  ブラケット
３２  回転体
３２ａ  傾斜面（反射部）
３２ｂ  遮光壁
３３  回路基板
３４  ＬＥＤ（光源）
３５  カバー
３６  第１歯車
３７  支軸
３８  回転板
３９  第２歯車
Ｐ  パチンコ機
【図１】
0005759214.tif 000002
【図３】
0005759214.tif 000003
【図４】
0005759214.tif 000004
【図５】
0005759214.tif 000005
【図６】
0005759214.tif 000006
【図７】
0005759214.tif 000007
【図８】
0005759214.tif 000008
【図９】
0005759214.tif 000009
【図２】
0005759214.tif 000010